(57)【要約】【課題】    試料を加工することなく、種々の試料に対し適切な材料負荷率（部材表面積／チャンバー容積）を設定でき、ＶＯＣの放散速度を使用態様に近い状態で再現してＶＯＣを捕集することを可能にする。【解決手段】  試料１０を内側に置いて試料から放散する揮発性化合物を囲うケーシング２と、揮発性化合物を捕集する捕集部４と、前記ケーシング２と前記捕集部４との間に介在してそれぞれに通気可能に連結され、かつ内容積を可変としたチャンバ３を備える。巨大な装置を利用せずに短時間でＶＯＣを捕集、評価することができ、さらには試料の表面積を調整することなくＶＯＣ捕集装置側でその内容積を調節してＶＯＣの放散速度を試料の実際の使用態様に応じたＶＯＣの放散速度に調整できる。【選択図】  図１
2006226745.tif 000002
【特許請求の範囲】
【請求項１】
試料の一部または全部を内側に置いて該試料から放散する揮発性化合物を囲うケーシングと、前記揮発性化合物を捕集する捕集部と、前記ケーシングと前記捕集部との間に介在してそれぞれに通気可能に連結され、かつ内容積を可変としたチャンバとを備えることを特徴とするＶＯＣ捕集装置。
【請求項２】
前記チャンバは、予め定めた複数の設置位置に基づいて内部を仕切ってチャンバの内容積を段階的に変更可能な隔壁を少なくとも一つ備えていることを特徴とする請求項１記載のＶＯＣ捕集装置。
【請求項３】
前記チャンバは、チャンバの内容積を変更可能な複数の位置にそれぞれ固定壁が設けられており、該固定壁は固定壁の両面側に連通する連通部を有し、該連通部の任意の一つを封止して該固定壁を前記隔壁とする封止部材を備えることを特徴とする請求項２記載のＶＯＣ捕集装置。
【請求項４】
前記複数の固定壁はそれぞれ、前記揮発性化合物の通気方向に沿って互い違いの位置に連通部が設けられていることを特徴とする請求項３記載のＶＯＣ捕集装置。
【請求項５】
前記隔壁の位置に従って、前記ケーシングに対する連通部の位置が変更可能となっていることを特徴とする請求項２〜４のいずれかに記載のＶＯＣ捕集装置。
【請求項６】
前記隔壁の位置に従って、前記捕集部に対する連通部の位置が変更可能となっていることを特徴とする請求項２〜５のいずれかに記載のＶＯＣ捕集装置。
【発明の詳細な説明】
【技術分野】
【０００１】
この発明は、建材や車のシート等から放散されるＶＯＣを採取するためのＶＯＣ捕集装置に関するものである。
【背景技術】
【０００２】
自動車用の車室内のシート等の内装材などから放散する揮発性化合物（以下ＶＯＣと略す）が健康に与える影響が懸念されている。室内の空気質の向上には、現状の内装部品からどのような成分が発生しているのかを把握する必要がある。
従来、建材や車のシート等から放散されるＶＯＣを採取するには、密閉された巨大な容器や部屋内にその試料全体を入れておき、長時間かけて放散させる手法がＪＩＳ  Ａ１９０１で規格されている（内容積２０リットル以上、時間２４時間以上）。
しかしながら、このような方法では、（１）装置が巨大、（２）巨大装置内に測定対象をそのまま入れる必要がある、（３）内容積が大きいため状態を安定させる時間が長い等、問題点が多く非常に手間がかかることから、近年、簡易なＶＯＣ採取方法が検討されている。
例えば、特許文献１、２では、所定面積の試料表面を、所定内容量のケーシングで覆い、該ケーシングに捕集管を連結してケーシング内で放散されたＶＯＣを捕集管を通して捕集するＶＯＣ捕集装置が提案されている。これら先行技術文献によれば、小型な装置により試料から放散するＶＯＣを採取することが可能になる。図９は、従来の小型ＶＯＣ捕集装置の一例の概略を示すものであり、捕集管５１が接続されたケーシング５０の外周側にさらに外筒５２を配置し、ケーシング５０と外筒５２との間にエアなどを供給してケーシング内と外界とを隔離性を確実にしている。ケーシング５０で覆われる試料１０の表面から放散されるＶＯＣがケーシング５０によって確保され、捕集管５１で捕集される。
【特許文献１】特開２００２−１２２５２１号公報
【特許文献２】特開２００４−１６３２０８号公報
【発明の開示】
【発明が解決しようとする課題】
【０００３】
ところで、ＶＯＣの放散速度は、試料の表面積と放散される容積に大きく依存することが知られている。すなわち試料と空間容積比（材料負荷率）が異なると放散濃度も大きく異なるため、空間濃度を評価する際は、この材料負荷率をどのように設定するかが評価の鍵となる。そのため、建材や車のシート等試料の使用態様に即したＶＯＣを捕集するためには、それら試料の表面積とそれら試料が使用される場所の容積とに基づき表面積又は捕集装置の内容積を調節して適切な材料負荷率（部材表面積／チャンバー容積）でＶＯＣを捕集することが必要である。
しかし、従来の簡易なＶＯＣ捕集装置では、固定の内容積しか持たないため、ＶＯＣの放散速度を使用態様に近い状態を再現してＶＯＣを捕集することはできず、そのために試料の表面積を調節することが必要であり、試料を加工することなくそのまま測定することはできないという問題がある。
【０００４】
本発明は、上記事情を背景としてなされたものであり、試料を加工することなく、適切な材料負荷率（部材表面積／チャンバー容積）を設定して、ＶＯＣの放散速度を使用態様に近い状態を再現してＶＯＣを捕集することが可能なＶＯＣ捕集装置を提供することを目的とする。
【課題を解決するための手段】
【０００５】
すなわち、本発明のＶＯＣ捕集装置のうち、請求項１記載の発明は、試料の一部または全部を内側に置いて該試料から放散する揮発性化合物を囲うケーシングと、前記揮発性化合物を捕集する捕集部と、前記ケーシングと前記捕集部との間に介在してそれぞれに通気可能に連結され、かつ内容積を可変としたチャンバとを備えることを特徴とする。
【０００６】
請求項２記載のＶＯＣ捕集装置は、請求項１記載の発明において、前記チャンバは、予め定めた複数の設置位置に基づいて内部を仕切ってチャンバの内容積を段階的に変更可能な隔壁を少なくとも一つ備えていることを特徴とする。
【０００７】
請求項３記載のＶＯＣ捕集装置は、請求項１記載の発明において、前記チャンバは、チャンバの内容積を変更可能な複数の位置にそれぞれ固定壁が設けられており、該固定壁は固定壁の両面側に連通する連通部を有し、該連通部の任意の一つを封止して該固定壁を前記隔壁とする封止部材を備えることを特徴とする。
【０００８】
請求項４記載のＶＯＣ捕集装置は、請求項３記載の発明において、前記複数の固定壁はそれぞれ、前記揮発性化合物の通気方向に沿って互い違いの位置に連通部が設けられていることを特徴とする。
【０００９】
請求項５記載のＶＯＣ捕集装置は、請求項２〜４のいずれかに記載の発明において、前記隔壁の位置に従って、前記ケーシングに対する連通部の位置が変更可能となっていることを特徴とする。
【００１０】
請求項６記載のＶＯＣ捕集装置は、請求項２〜５のいずれかに記載の発明において、前記隔壁の位置に従って、前記捕集部に対する連通部の位置が変更可能となっていることを特徴とする。
【００１１】
すなわち、本発明によれば、ケーシングにチャンバが連通するように接続されているので、ケーシング内に置かれている試料からＶＯＣが放散される際の放散内容積が、ケーシングの内容積とチャンバの内容積とが加算されたものになり、短時間でＶＯＣが捕集される。そして、ケーシングの内容積は固定されているもののチャンバの内容積は可変になっており、チャンバの内容積を変更することで上記放散内容積が変更される。したがって、試料の表面積を調整することなくチャンバの内容積変更によって所望の放散内容積を設定することができ、試料の使用形態などに従って適切な材料負荷率（部材表面積／チャンバー容積）によってＶＯＣを採取することができる。採取されたＶＯＣは、捕集管などの捕集部を通して吸着剤などによって捕集され、分析などに供することができる。
【００１２】
なお、チャンバを可変とする構成については本発明としては特に限定されるものではなく、連続的に変化させるもの、段階的に変化させるもの、任意の値に変更可能なもの、予め設定した値に変更可能なもの等のいずれであってもよい。
例えば、請求項２記載の発明によれば、予め定めた複数の設置位置に内部を仕切る隔壁を設置することでチャンバの内容積を段階的に変更することができる。
【００１３】
なお、隔壁は、手動または適宜のアクチュエータなどを用いて所定の位置に設置できるものであればよく、特定の構造に限定されるものではない。例えば、チャンバ内に隔壁を係止するための凹凸形状などの係止部を前記所定設置位置に合わせて設けておき、前記係止部に係止する凹凸形状などの係止部を隔壁側に設け、これら係止部を互いに係止することで隔壁を設置することができる。また、チャンバ内に連通部を有する固定壁（板材、隔膜など）を設けておき、上記連通部を開閉することで隔壁の設置位置を変更することも可能である。
【００１４】
なお、隔壁の設置位置を変更する場合には、ケーシングに対する連通部または捕集部に対する連通部の位置を変更可能にすることで、ＶＯＣの流路を調整することができ、望ましくは、ケーシングの連通部から捕集部の連通部に至るまで、最大長またはこれに近い距離が得られるようにする。したがって、チャンバの内部空間を仕切る隔壁の近傍にケーシングまたは捕集部に対する連通部を設けるのが望ましい。チャンバ内に、ＶＯＣが移動するために十分な長さの流路を確保することで、ＶＯＣの均一拡散が促進される。
【００１５】
さらに、請求項４に示すようにチャンバ内に前記固定壁を複数設け、該固定壁に設けられている連通部を、ＶＯＣの通気方向に沿って固定壁間で互い違いの位置に設けるようにすることでＶＯＣの対流、撹拌が活発になり、ＶＯＣの均一化が一層良好になされる。
【発明の効果】
【００１６】
以上説明したように、本発明のＶＯＣ捕集装置によれば、試料の一部または全部を内側に置いて該試料から放散する揮発性化合物を囲うケーシングと、前記揮発性化合物を捕集する捕集部と、前記ケーシングと前記捕集部との間に介在してそれぞれに通気可能に連結され、かつ内容積を可変としたチャンバとを備えるので、巨大な装置を利用せずに簡易かつ短時間でＶＯＣを捕集、評価することができ、さらに、試料の表面積を調整することなくＶＯＣ捕集装置側でその内容積を調節してＶＯＣの放散速度を調節することができる。その結果、対象となる試料を加工する必要がなく、試料の実際の使用態様に応じたＶＯＣの放散速度を確保することができる。そして、本発明によれば、試料表面にあてる持ち運び可能な小型のタイプとすることができ、大物部材および実部材などの現場評価を効率的に行うことが可能になる。例えば、半日程度ですべての評価が終了可能である。
【発明を実施するための最良の形態】
【００１７】
以下に、本発明の一実施形態を図１、２に基づいて説明する。
図１は、本発明のＶＯＣ捕集装置１の概略を示す正面断面図であり、図２は、図１のII−II線で断面した平面断面図である。
ＶＯＣ捕集装置１は、外壁を二重にして、下方に開口部を向けて漏斗状に形成したケーシング２と、該ケーシング２の上方に位置して該ケーシング２に通気可能に連結された箱形のチャンバ３と、該チャンバ３に通気可能に連結された捕集部（図では捕集管４のみ図示）とを備えている。
【００１８】
ケーシング２は、二重外壁２２で囲まれた内部空間２０に連通し、上部に開口した連通管２１を有しており、該連通管２１に、チャンバ３の下方中央部に設けたケーシング連通部３１が通気可能に接続されている。ケーシング２の二重外壁２２は上記したように２重構造となっており、二重壁内空間２３は、筒状になって下方に開口している。また、ケーシング２の上方側では、前記連通管２１を囲んで、上端が閉じられた筒部２４を有している。該筒部２４は側方に外部のガス供給管５が接続されている。
なお、この実施形態では、ケーシングの構成として上記二重外壁構造のものについて説明したが、本発明としてはケーシングの構造が特定のものに限定されるものではなく、試料から放散されるＶＯＣを確保できる構造のものであればよい。
【００１９】
次に、チャンバ３内の内部空間３０は、下方部において上記ケーシング連通部３１に連通し、上方部において捕集管連通部３２に連通している。捕集管連通部３２は、さらに、捕集部の一部を構成する捕集管４に連結されている。チャンバ３は、上記内部空間３０を仕切る複数の隔壁３３ａ…３３ｄを備えており、各隔壁は、それぞれ独立して取り外しおよび設置が可能になっている。したがって各隔壁の着脱により内部空間３０の内容積を変更することができる。なお、各隔壁３３ａ…３３ｄの設置位置は予め設定しておくのが望ましく、これにより操作者は内部空間３０の内容積を容易かつ段階的に変更することができる。なお、チャンバ３の上壁部３４は取り外し可能になっており、隔壁３３ａ…３３ｄの設置状態を変更する場合には、該上壁部３４を取り外した後、所望の隔壁の脱着を行い、その後、上壁部３４を取り付けることで、内部空間３０の内容積を設定したチャンバ３として使用することができる。例えば、隔壁３３ｂ、３３ｃで囲まれた内部空間は、隔壁３３ｂを取り外すことで内部容積をほぼ倍にでき、さらに隔壁３３ｃを取り外すことで３倍にすることができる。
各隔壁の設置位置を予め定めておく場合には、隔壁とチャンバ内壁との間に嵌合部を形成しておき、所定位置において容易に着脱可能としておくのが望ましい。
また、前記した捕集管４は、捕集部の一部を構成しており、吸着剤などが内包され、図示しない分析装置などに接続されている。ただし、本発明としては、捕集部の構成が特定のものに限定されるものではなく、捕捉したＶＯＣを捕集できる機能を有するものであればよい。
【００２０】
次に、上記ＶＯＣ捕集装置１を用いたＶＯＣの捕集動作について説明する。
先ず、試料の使用形態などを考慮して、必要な材料負荷率を決定する。この材料負荷率ａは、試料の表面積Ｓ、ケーシング２の内容積Ｖｃ、チャンバ３の内容積Ｖｘとして、
ａ＝Ｓ／（Ｖｃ＋Ｖｘ）で示される。
ここで、ＳおよびＶｃは固定であるので、チャンバ３の内容積Ｖｘを変更することで、所望の材料負荷率が得られる。したがって、所望の材料負荷率に従って、各隔壁の脱着を行って、チャンバ３における内容積を決定しておく。隔壁の脱着は、上記したように、上壁部３４を取り外して各隔壁の脱着を行い、その後、上壁部３４を取り付けることにより容易に行うことができる。
【００２１】
次に、上記ＶＯＣ捕集装置１のケーシング２の開口部を試料１０の表面上に設置する。この際に、二重外壁２２の先端は試料１０に密着しており、これにより試料１０の所定の表面積がケーシング２によって囲まれることになる。
次いで、適宜の回数、間隔で、ガス供給管５から純空気や不活性ガスなどのシールド兼キャリアガスを導入する。ガスは、二重壁内空間２３を下降して、その先端から外方および内方に放出される。このガスの流れによって内部空間２０、３０の換気がなされるとともに、外部空間からのコンタミネーションが防止される。
上記試料１０の表面からは上記（Ｖｃ＋Ｖｘ）の内容積を有する内部空間に対しＶＯＣの放散が生ずる。所定時間のＶＯＣ放散を行った後は、前記ガス供給管５を通したガスの導入によるＶＯＣの移送や捕集部における吸引などによって内部空間２０、３０内にあるＶＯＣを捕集管４で回収し、所望の検出等の作業を行う。
また、他種の試料からＶＯＣを捕集する際には、ＶＯＣの放散に必要な内容積を設定し、該設定内容積に基づいてチャンバ３の隔壁３３ａ〜３３ｄの脱着を行い、チャンバ３における内容積を変更する。その後は、上記と同様に試料からのＶＯＣ回収を、適切な材料負荷率によって行うことができる。
【００２２】
以下に、他の実施形態を図３に基づいて説明する。なお、上記実施形態と同様の構造については同一の符号を付してその説明を省略または簡略化する。
上記実施形態では、隔壁を脱着することによってチャンバの内容積を変更可能としているが、以下に示す実施形態では、チャンバ３内に、スライド移動可能に一つの隔壁３３を配置してチャンバ３内の内部空間３０の内容積を変更可能にしている。隔壁３３のスライド位置は、ａ、ｂ、ｃの３箇所が定められており、したがって、チャンバ３の内容積は段階的に変更することができる。また、上記隔壁３３の移動に合わせて、隔壁３３の移動位置の近傍（図示左方近傍）にそれぞれ捕集管４に連通する捕集管連通部３２ａ…３２ｄが設けられている。捕集管連通部３２ａ…３２ｄは、それぞれチャンバ３の内部に連通しており、それぞれに開閉弁３５ａ…３５ｄが介設されている。一方、ケーシング連通部３１は、チャンバ３の端部（図示左端）下方に設けられている。チャンバ３の上壁部３４は取り外し可能になっており、隔壁３３の設置位置をスライド移動して変更する場合には、該上壁部３４を取り外した後、隔壁を所望位置に移動させ、その後、上壁部３４を取り付けてクランプ３６で固定することで、チャンバ３として使用することができる。なお、隔壁３３は、手動によりスライドさせる他、アクチュエータなどを用いて機械的にスライドさせることも可能である、
上記隔壁３３は、例えば、ａ位置に移動すると、内部空間３０は、内容積が最も小さくなり、ｂ位置、ｃ位置に移動させるに連れて内容積が増大する。その際には、隔壁３３の移動位置に従って、開閉弁３５ａ…３５ｄの開閉が調節され、隔壁３３に最も近い開閉弁が開かれ、その開閉弁よりも図示左方にある開閉弁は閉じられる。
【００２３】
上記実施形態では、隔壁３３の移動に伴ってチャンバ３の内容積が変更されるとともに、捕集管連通部の位置が変更されて、ケーシング連通部３１から捕集管連通部に至る距離が最も大きな距離となるように捕集管連通部の位置が定められる。これによりチャンバ３内での流路が長く確保されるので、ＶＯＣがチャンバ３内を移動する際に、ＶＯＣが均一に拡散することができ、捕集後のＶＯＣの分析のバラツキなどを小さくして分析精度を高めることができる。
【００２４】
次に、他の実施形態を図４に基づいて説明する。
上記各実施形態では、チャンバの内容積変更を段階的に行う装置について説明したが、以下の実施形態は、チャンバの内容積を連続的に変更可能としたものである。なお、上記実施形態と同様の構造については同一の符号を付してその説明を省略または簡略化する。
ケーシング２００は、内部が空洞で下方が開口されたドーム型の形状を有しており、その上部にケーシング２００の内部空間２０１に連通する連通管２０２が設けられている。連通管２０２には、開閉弁２０３を介してチャンバ３００のケーシング連通管３０２（ケーシング連通部に相当）が接続されている。ケーシング連通管３０２は、チャンバ３００に至る共通管３０３に接続され、共通管３０３は、シリンダ型のチャンバ３００の内部空間３０１に連通している。内部空間３０１は、チャンバ３００の本体内壁と、該本体内壁を摺動可能なピストン３０５とに囲まれて構成されており、ピストン３０５を摺動させることで内容積を連続的に変更することができる。ピストン３０５は、ロッド３０６を介して手動やアクチュエータの動作などによって摺動させることができる。
なお、上記共通管３０３には、捕集部連通管３０４が連結され、該捕集部連通管３０４に捕集管４００が接続されている。
【００２５】
上記ＶＯＣ捕集装置では、ＶＯＣ放散用の空間が内部空間２０１および内部空間３０１で構成され、ピストン３０５の摺動によって内部空間３０１の内容積を調整することで、内部空間２０１の内容積と合わせて所望の内容積が得られる。試料１０から放散されるＶＯＣは、上記内部空間２０１および内部空間３０１で捕捉され、捕集管４００を通して捕集される。
なお、上記実施形態では、チャンバの内容積を連続的に任意に変更することができるので、多様な内容積を得ることができる。ただし、前記実施形態のように予め定めた値で多段に設定可能にしたものでは、操作者が容易かつ速やかに内容積の設定を行えるという利点がある。また、上記実施形態では、ピストンを予め定めた位置にのみ移動可能として、チャンバの内容積の変更を段階的に行う構成とすることも可能である。
【００２６】
次に、他の実施形態を図５、６に基づいて説明する。
図５に示すチャンバ３１０では、図５示左右方向に所定の間隔で板状の固定壁３３１〜３３７が配置されており、各固定壁では、一端部側がチャンバ３１０の内壁から離隔することによって連通部３２１〜３２７が設けられている。なお、固定壁３３１、３３３、３３５、３３７では、図示下端側に連通部３２１、３２３、３２５、３２７を有しており、固定壁３３２、３３４、３３６では、図示上端側に連通部３２２、３２４、３２６を有している。上記により、連通部は、図示左右方向（通気方向）に沿って上下に互い違いの位置に設けられている。上記連通部の内、連通部３２２、３２４、３２６には、封止部材として封止板３３０を配置、係合して連通部の封止が可能となっている。連通部を封止した固定壁は、チャンバの内部を仕切る隔壁として機能する。
【００２７】
固定壁３３２、３３４または固定壁３３６と、封止板３３０との係合方法を、固定壁３３２を例にして図６に示す。すなわち、固定壁３３２の上端面に凹部３３２ａを形成し、これに係合可能な凸部３３０ａを封止板３３０の下端面に形成する。一方、上壁部３４の下面に凹部３４ｂを形成し、封止板３３０の上端面に凸部３３０ｂを形成する。封止板３３０によって連通部３２２を封止する際には、クランプ３６を取り外して上壁部３４を開けた後、上記凹部３３２ａと凸部３３０ａを係合し、さらに、上壁部３４を被せつつ、凸部３３０ｂと凹部３４ｂとを嵌合させる。その後、クランプ３６を取り付けることで所定の内容積を有するチャンバ３が得られる。なお、固定壁３３４、３３６も同様の構成を有しており、また、これら固定壁の位置に対応して上壁部３４の下面に凹部が形成されている。上記封止板３３０を取り付ける固定壁を選定することで、チャンバ３内の内部空間３２０の内容積を段階的に変更することができる。
【００２８】
また、この実施形態のチャンバ３１０では、ケーシング連通部３１１が、チャンバ３１０の図示下方左部に設けられ、捕集管連通部３１２、３１４、３１６、３１８が、それぞれ固定壁３３２、３３４、３３６、チャンバの右方内壁３１０ａの左方近傍において、上壁部３４に設けられており、各捕集管連通部は、チャンバ３１０の内部と連通している。また捕集管連通部３１２、３１４、３１６、３１８には、それぞれ開閉弁３１３、３１５、３１７、３１９が設けられており、隔壁近傍の捕集管連通部を捕集管に対し連通させ、それよりも左方にある捕集管連通部を閉止することができる。
上記構成により、ケーシング連通部３１１から導入されるＶＯＣは、内部空間３１０の下方側に位置する連通部を通って上方側に移動する行程を一度以上経た後に、隔壁に規制されて隔壁の左方上方側に位置する捕集管連通部から外部へと排出させることになり、図示右方への移動と上下移動とが組み合わされてＶＯＣが撹拌されながら均一に拡散する。また、隔壁に近い位置に捕集管連通部が位置するので内部空間内での流路長が十分に確保されて、上記均一拡散がより良好になる。
【００２９】
次に、さらに他の実施形態を図７、８に基づいて説明する。
図７に示すチャンバ３５０では、図７示左右方向に所定の間隔で膜状の固定壁３７１〜３７７が配置されており、各固定壁では、端部側に近接して貫通孔を形成することによって連通部３６１〜３６７が設けられている。なお、固定壁３７１、３７３、３７５、３７７では、図示下端側に連通部３６１、３６３、３６５、３６７が位置し、固定壁３７２、３７４、３７６では、図示上端側に連通部３６２、３６４、３６６が位置している。上記により、連通部は、図示左右方向（通気方向）に沿って上下に互い違いに位置している。上記連通部の内、連通部３６２、３６４、３６６には、封止部材として封止膜３７０を配置、係合して連通部が封止可能となっている。連通部を封止した固定壁は、チャンバ３５０の内部空間を仕切る隔壁として機能する。
【００３０】
固定壁３７２、３７４または固定壁３７６と、封止膜３７０との係合方法を、固定壁３７２を例にして図８に示す。すなわち、固定壁３７２の右側面に、一方向を開放して封止膜３７０をスライドして脱着可能なスライド枠３７２ａを設置する。封止膜３７０によって連通部３６２を封止する際には、クランプ３６を取り外して上壁部３４を開けた後、スライド枠３７２ａに封止膜３７０をスライドしつつ装入し、連通部３６２を封止する。これにより固定壁３７２が隔壁として機能する。その後、クランプ３６を取り付けることで所定の内容積を有するチャンバ３５０が得られる。なお、固定壁３７４、３７６も同様の構成を有している。上記封止膜３７０を取り付ける固定壁を選定することで、チャンバ３５０内の内部空間３６０の内容積を段階的に変更することができる。また、この実施形態のチャンバ３５０でも、ケーシング連通部３５１が、チャンバ３５０の図示下方左部に設けられ、捕集管連通部３５２、３５４、３５６、３５８が、それぞれ固定壁３７２、３７４、３７６、チャンバ３５０の右方内壁３５０ａの左方近傍において、上壁部３４に設けられている。各捕集管連通部は、チャンバ３５０の内部と連通している。また捕集管連通部３５２、３５４、３５６、３５８には、それぞれ開閉弁３５３、３５５、３５７、３５９が設けられており、隔壁近傍の捕集管連通部を捕集管に対し連通させ、それよりも左方の捕集関連通部を閉止することができる。
上記構成により、ケーシング連通部３５１から導入されるＶＯＣは、図示右方への移動と上下移動とが組み合わされ、かつ十分に長い流路を経てＶＯＣが均一に拡散する。
以上、本発明を上記実施形態に基づいて説明したが、本発明は、上記実施形態の内容に限定されるものではなく、本発明の範囲を逸脱しない範囲で変更が可能である。
【図面の簡単な説明】
【００３１】
【図１】本発明の一実施形態のＶＯＣ捕集装置を示す一部を断面した正面図である。
【図２】同じく、図１のII−II線断面図である。
【図３】本発明の他の実施形態におけるチャンバを示す断面正面図である。
【図４】本発明の他の実施形態におけるＶＯＣ捕集装置を示す一部を断面した正面図である。
【図５】本発明の他の実施形態におけるチャンバを示す断面正面図である。
【図６】同じく、封止部材を係合した固定壁を示す一部拡大斜視図である。
【図７】本発明の他の実施形態におけるチャンバを示す断面正面図である。
【図８】同じく、封止部材を配置した固定壁を示す一部拡大斜視図である。
【図９】従来のＶＯＣ捕集装置の概略を示す図である。
【符号の説明】
【００３２】
１    ＶＯＣ捕集装置
２    ケーシング
３    チャンバ
４    捕集管
２０    内部空間
２１    連通管
３０    内部空間
３１    ケーシング連通部
３２    捕集管連通部
３２ａ、３２ｂ、３２ｃ、３２ｄ  捕集管連通部
３３    移動隔壁
３３ａ、３３ｂ、３３ｃ、３３ｄ    隔壁
２００  ケーシング
２０１  内部空間
３００  チャンバ
３０１  内部空間
３０２  ケーシング連通管
３０４  捕集部連通管
３０５  ピストン
３１０  チャンバ
３１１  ケーシング連通部
３１２、３１４、３１６、３１８  捕集管連通部
３２０  内部空間
３２１、３２２、３２３、３２４、３２５、３２６、３２７  連通部
３３０  封止板
３３１、３３２、３３３、３３４、３３５、３３６、３３７  固定壁
３５０  チャンバ
３６１、３６２、３６３、３６４、３６５、３６６、３６７  連通部
３７０  封止膜
３７１、３７２、３７３、３７４、３７５、３７６、３７７  固定壁
【図１】
2006226745.tif 000003
【図２】
2006226745.tif 000004
【図３】
2006226745.tif 000005
【図４】
2006226745.tif 000006
【図５】
2006226745.tif 000007
【図６】
2006226745.tif 000008
【図７】
2006226745.tif 000009
【図８】
2006226745.tif 000010
【図９】
2006226745.tif 000011